(57)【特許請求の範囲】
【請求項１】
外部から入力される画面を取り込む入力手段と、
前記入力手段によって取り込まれた画面がプレゼンテーション用の画面である場合、前記入力手段によって取り込まれた画面を表示画面として表示する第一の表示手段と、
前記入力手段によって取り込まれた画面がプレゼンテーション用の画面でなく、前回の表示画面がある場合、その前回の表示画面を表示画面として表示する第二の表示手段と、
前記入力手段によって取り込まれた画面がプレゼンテーション用の画面でなく、前回の表示画面がない場合、ダミー画面を表示画面として表示する第三の表示手段と、
を備えたことを特徴とする画面表示装置。
【請求項２】
前記第一の表示手段は、前記入力手段によって取り込まれた画面の上下左右辺部の色分布が特定の色分布を示しているときに、その画面をプレゼンテーション用の画面であるとすることを特徴とする請求項１に記載の画面表示装置。
【請求項３】
前記特定の色分布は、黒色の分布であることを特徴とする請求項２に記載の画面表示装置。
【請求項４】
ディスプレイ中の画面を取り込む入力手段と、
前記入力手段によって取り込まれた画面がプレゼンテーション用の画面である場合、前記入力手段によって取り込まれた画面を出力画面として外部モニタに出力する第一の出力手段と、
前記入力手段によって取り込まれた画面がプレゼンテーション用の画面でなく、前回の出力画面がある場合、その前回の出力画面を出力画面として外部モニタに出力する第二の出力手段と、
前記入力手段によって取り込まれた画面がプレゼンテーション用の画面でなく、前回の出力画面がない場合、ダミー画面を出力画面として外部モニタに出力する第三の出力手段と、
を備えたことを特徴とする画面出力装置。
【請求項５】
前記第一の表示手段は、前記入力手段によって取り込まれた画面の上下左右辺部の色分布が特定の色分布を示しているときに、その画面をプレゼンテーション用の画面であるとすることを特徴とする請求項４に記載の画面出力装置。
【請求項６】
前記特定の色分布は、黒色の分布であることを特徴とする請求項５に記載の画面出力装置。
【請求項７】
外部から入力される画面を取り込む入力工程と、
前記入力工程によって取り込まれた画面がプレゼンテーション用の画面である場合、前記入力工程によって取り込まれた画面を表示画面として表示する第一の表示工程と、
前記入力工程によって取り込まれた画面がプレゼンテーション用の画面でなく、前回の表示画面がある場合、その前回の表示画面を表示画面として表示する第二の表示工程と、
前記入力工程によって取り込まれた画面がプレゼンテーション用の画面でなく、前回の表示画面がない場合、ダミー画面を表示画面として表示する第三の表示工程と、
を含むことを特徴とする画面表示方法。
【請求項８】
前記第一の表示工程は、前記入力工程によって取り込まれた画面の上下左右辺部の色分布が特定の色分布を示しているときに、その画面をプレゼンテーション用の画面であるとすることを特徴とする請求項７に記載の画面表示方法。
【請求項９】
前記特定の色分布は、黒色の分布であることを特徴とする請求項８に記載の画面表示方法。
【請求項１０】
ディスプレイ中の画面を取り込む入力工程と、
前記入力工程によって取り込まれた画面がプレゼンテーション用の画面である場合、前記入力工程によって取り込まれた画面を出力画面として外部モニタに出力する第一の出力工程と、
前記入力工程によって取り込まれた画面がプレゼンテーション用の画面でなく、前回の出力画面がある場合、その前回の出力画面を出力画面として外部モニタに出力する第二の出力工程と、
前記入力工程によって取り込まれた画面がプレゼンテーション用の画面でなく、前回の出力画面がない場合、ダミー画面を出力画面として出力する外部モニタに第三の出力工程と、
を備えたことを特徴とする画面出力方法。
【請求項１１】
前記第一の出力工程は、前記入力工程によって取り込まれた画面の上下左右辺部の色分布が特定の色分布を示しているときに、その画面をプレゼンテーション用の画面であるとすることを特徴とする請求項１０に記載の画面出力方法。
【請求項１２】
前記特定の色分布は、黒色の分布であることを特徴とする請求項１１に記載の画面出力方法。
【発明の詳細な説明】
【技術分野】
【０００１】
本発明は、画面表示装置、画面出力装置、画面表示方法及び画面出力方法に関し、詳しくは、パーソナルコンピュータのディスプレイ画面を、プロジェクタ等の外部モニタに出力する際に用いられる画面表示装置、画面出力装置、画面表示方法及び画面出力方法に関する。
【背景技術】
【０００２】
近年、会議やプレゼンテーション（以下、これらを総称して便宜的に「プレゼン」という）の場で、パーソナルコンピュータに記録された様々な電子化資料を、プロジェクタ等の大画面の外部モニタに出力して拡大表示することが行われており、このような場合、一般的に次の二つの方法がとられている。第一の方法は、パーソナルコンピュータのディスプレイ画面と同じ画面をそのまま外部モニタに出力するという方法であり、第二の方法は、プレゼン専用のアプリケーションソフト、たとえば、マイクロソフト社のパワーポイント（登録商標）など（以下、「プレゼンソフト」と省略する）を利用して、そのソフトで生成された画面を外部モニタに出力するという方法である。
【０００３】
第一の方法の欠点は、不要な画面、たとえば、パーソナルコンピュータのデスクトップ画面なども一緒に外部モニタに表示されてしまうことにある。この欠点は、プレゼンのスマートさを阻害するばかりか、デスクトップ画面上のアイコン名やファイル名などのように、第三者に積極的に見せる必要がない（あるいは見られては困る）情報を保護できない。
【０００４】
これに対して、第二の方法で用いられるプレゼンソフトは、プレゼン資料の作成モードとプレゼン実行モードとを備えており、とりわけ、そのプレゼン実行モードでは、パーソナルコンピュータのデスクトップ画面を隠蔽した「全画面表示」の画面を外部モニタに出力できるようになっている。
【０００５】
このため、この第二の方法では、「全画面表示」によって、パーソナルコンピュータのデスクトップ画面などの不要な画面を第三者に見せないようにすることができ、前記第一の方法の欠点を解消することができる。
【０００６】
しかしながら、この第二の方法においても、次のような操作を行う場合には、依然として前記第一の方法と同一の欠点を免れない。すなわち、進行中のプレゼン資料以外の資料（以下、便宜的に資料Ａとする）を急遽表示しなければならなくなった場合、パーソナルコンピュータの操作者は、プレゼンソフトの「全画面表示」を一時的に中断し、資料Ａのファイルを選択してオープンしなければならない。より詳細には、資料Ａがプレゼンソフトのファイル（つまり、パワーポイントファイル）であれば、プレゼンソフトメニューの「ファイル」→「開く」を操作する必要があり、あるいは、資料Ａがプレゼンソフト以外のファイル（たとえば、ワープロファイルや表計算ソフトファイルなど）であれば、デスクトップ画面を表示し、「マイコンピュータ」から「ドライブ」を経て所望のフォルダを指定した上、資料Ａのファイルをオープンする操作を行う必要がある。
【０００７】
このような操作を行っている間、プレゼンソフトの「全画面表示」は中断されたままである。したがって、外部モニタ上には、一時的にせよ、パーソナルコンピュータの操作画面がそのまま表示されてしまう結果、その間、前記第一の方法と同様にプレゼンのスマートさを阻害し、また、情報の保護を図ることができない。
【０００８】
外部モニタ上の不要画面表示を回避するためには、たとえば、外部モニタのミュートスイッチ（映像表示や音声出力を一時的にオフするためのスイッチ）を操作してもよいが、手間がかかる上、的確なタイミングのスイッチ操作が困難であるという問題点がある。
【０００９】
下記の特許文献１には、パーソナルコンピュータの画面上に表示するウィンドウの表示状態に応じて、表示装置における画面表示状態を自動的に制御可能な表示システムが記載されている。より詳しくは、この表示システムは、情報処理装置と、該情報処理装置の画面データを入力とする表示装置と、両装置間を接続する通信手段とからなる表示システムであって、前記表示装置は、（ａ）画面上に表示される複数のウィンドウの内、選択されたウィンドウサイズが画面サイズに対して最大サイズである場合は、前記情報処理装置からの画面データを表示するように制御され、一方、（ｂ）画面上に表示される複数のウィンドウの内、選択されたウィンドウサイズが画面サイズよりも小さい場合は、前記情報処理装置からの画面データを表示しないように制御されるというものである。
【００１０】
ここで、「ウィンドウ」とは、グラフィカルユーザインターフェース（ＧＵＩ）対応の汎用オペレーティングシステム（ＯＳ）によって提供されるユーザーインターフェース用オブジェクトの一つである。デスクトップ画面上に表示されるウィンドウは、上端に配置されたタイトルバーの下にクライアントエリアと呼ばれるアプリケーション領域を備えており、このクライアントエリアに、ユーザに対して情報を表示したり、ユーザからの入力を受け付けたりするための様々なコントロールを自由にレイアウトすることができるようになっている。
【００１１】
一般的にＧＵＩ対応のＯＳは、マルチタスク処理が可能であり、複数のアプリケーションプログラムを同時に実行させることができる。それぞれのアプリケーションプログラムのウィンドウの内、ユーザの操作対象となっているウィンドウのことをオンフォーカスウィンドウあるいは「アクティブウィンドウ」という。特許文献１の“選択されたウィンドウ”は、このアクティブウィンドウのことを指している。
【００１２】
さらに、ウィンドウサイズの変更が許可されているときには、アクティブウィンドウの縦横のサイズを個別に若しくは同時に変更したり最大化したりできるようになっている。最大化とは、ウィンドウのサイズをデスクトップ画面一杯に拡大することをいい、特許文献１の“選択されたウィンドウサイズが画面サイズに対して最大サイズである場合”とは、この最大化のことを指している。
【００１３】
したがって、特許文献１に記載の技術では、デスクトップ画面上の特定ウィンドウ、すなわち、“最大化ウィンドウ”の画面がプロジェクタ等の外部モニタ（表示装置）に表示され、一方、最大化以外のウィンドウ、つまり、任意サイズのウィンドウや最小化ウィンドウ画面は外部モニタに表示されないので、前記第一の方法及び第二の方法の欠点を解消できる。
【００１４】
【特許文献１】特開２００４−２８７１６９号公報
【発明の開示】
【発明が解決しようとする課題】
【００１５】
しかしながら、特許文献１の技術にあっては、最大化ウィンドウであるか否かを識別して外部モニタへの表示、非表示を制御する仕組みになっているため、次のような操作を行った場合に、やはり、不要な画面が外部モニタに表示されてしまうという問題点がある。
【００１６】
たとえば、パーソナルコンピュータ上でプレゼン用のファイルを探し出すとき、ユーザの多くは、ファイル一覧のスクロールの手間を省くために、しばしば、そのファイルが納められたディレクトリ画面（ウィンドウ）を“最大化”することがあるが、このような場合、特許文献１の技術では、かかる最大化されたディレクトリ画面が外部モニタに表示されてしまうので、そのディレクトリに納められているすべてのファイルの名前が第三者の目に触れることになり、前記第一の方法及び第二の方法と同様の欠点、すなわち、プレゼンのスマートさを阻害し、且つ、情報の保護を図ることができない。
【００１７】
そこで、本発明は、プレゼン以外の画面を非表示とすることができ、プレゼンのスマートさを維持しつつ情報の保護も図ることができる画面表示装置、画面出力装置、画面表示方法及び画面出力方法を提供することを目的とする。
【課題を解決するための手段】
【００１８】
本発明は、外部から入力される画面を取り込む入力手段と、前記入力手段によって取り込まれた画面がプレゼンテーション用の画面である場合、前記入力手段によって取り込まれた画面を表示画面として表示する第一の表示手段と、前記入力手段によって取り込まれた画面がプレゼンテーション用の画面でなく、前回の表示画面がある場合、その前回の表示画面を表示画面として表示する第二の表示手段と、前記入力手段によって取り込まれた画面がプレゼンテーション用の画面でなく、前回の表示画面がない場合、ダミー画面を表示画面として表示する第三の表示手段とを備えたことを特徴とする画面表示装置である。
【発明の効果】
【００１９】
本発明では、プレゼンテーションのスマートさを維持しつつ情報の保護も図ることができる画面表示装置を提供することができる。
【発明を実施するための最良の形態】
【００２１】
以下、本発明の実施形態を、プロジェクタへの適用を例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００２２】
まず、構成を説明する。
図１は、本実施形態のシステム構成図である。この図において、パーソナルコンピュータ１は、キーボード２と、液晶ディスプレイ等の表示装置３とを同一の筐体４に納めるとともに、外付けのマウス５を接続したラップトップ型であるが、これに限定されない。マウス５の代わりにタッチパッド等の内蔵ポインティングデバイスを備えたものであってもよく、あるいは、デスクトップ型やその他の型式であっても構わない。
【００２３】
このパーソナルコンピュータ１には、ＧＵＩ対応の汎用ＯＳと、そのＯＳ上で動作する様々なアプリケーションプログラムが実装されており、図示の表示装置３には、ＯＳ提供の背景画面（以下「デスクトップ画面」という）が表示されるとともに、さらに、ユーザ操作（キーボード２やマウス５の操作）に応答して、そのデスクトップ画面上に任意のアプリケーションソフトの一つまたは複数のウィンドウが表示されるようになっている。
【００２４】
パーソナルコンピュータ１の外部モニタ出力端子６には、ケーブル７を介して外部モニタとしての、たとえば、プロジェクタ８が接続されている。このプロジェクタ８は、パーソナルコンピュータ１から出力される画面信号を取り込み、その画面を、投影レンズ９を介してスクリーン１０に拡大投影する。
【００２５】
図２は、パーソナルコンピュータ１の表示装置３の画面構成図であり、ここでは、デスクトップ画面（ａ）と最大化ウィンドウ（ｂ）の二つの表示例を示している。デスクトップ画面１１は、表示装置３の有効表示面と同じ大きさの画面（たとえば、１０２４×７６８画素の画面）であり、一般的にデスクトップ画面１１は、任意色または任意画像の背景エリア１２に、ＯＳによって規定された（または、ユーザによって選択された）様々なショートカットアイコン１３を配列表示すると共に、その背景エリア１２の下辺部に、スタートボタン１４や実行中のアプリケーションアイコン１５などを表示するためのタスクバー１６を配置しており、さらに、その背景エリア１２に、ユーザ操作に応答して実行された任意のアプリケーションソフトのウィンドウ（図では便宜的に二つのウィンドウＷ１、Ｗ２）を表示できるようになっている。ここで、二つのウィンドウＷ１、Ｗ２は、デスクトップ画面１１よりも小さな任意サイズのウィンドウであり、前面側に位置するウィンドウＷ１はアクティブウィンドウ、背面側に位置するウィンドウＷ２は非アクティブウィンドウである。
【００２６】
ウィンドウＷ１、Ｗ２は、いずれも、左端にシステムメニューアイコン１７を配置するとともに、右端に最小化ボタン１８や最大化ボタン１９及び閉じるボタン２０を配置したタイトルバー２１と、そのタイトルバー２１の下に広がるクライアントエリア２２と、それらのタイトルバー２１及びクライアントエリア２２の周囲を取り囲む数画素程度の微細幅のウィンドウ枠２３とから構成されている。閉じるボタン２０を押すと、そのウィンドウが閉じられ（アプリケーションソフトの終了）、また、最小化ボタン１８を押すと、そのウィンドウが最小化される（タスクバー１６にアイコンとして格納される）ようになっており、さらに、最大化ボタン１９を押すと、そのウィンドウが最大化されるようになっている。
【００２７】
ウィンドウを最大化した場合、（ｂ）に示すように、その最大化ウィンドウＷ３の大きさは、デスクトップ画面１１の背景エリア１２と同じ大きさになり、したがって、デスクトップ画面１１の背景エリア１２は、その最大化ウィンドウＷ３の陰に隠れて見えなくなる。なお、特定のＯＳでは、タスクバー１６を「自動的に隠す」設定にすることが可能である。この設定にしている場合、最大化ウィンドウＷ３の大きさは、表示装置３の有効表示面と同じ大きさになり、この場合、タスクバー１６を含むデスクトップ画面１１の全体が最大化ウィンドウＷ３の陰に隠れて見えなくなる。
【００２８】
このような構成において、通常、プロジェクタ８によってスクリーン１０に拡大投影される画面と、パーソナルコンピュータ１の表示装置３の画面は同じであるが、プレゼンテーションを行う場合などにおいては、表示対象となるウィンドウ以外の画面は邪魔である。たとえば、図２（ａ）の画面を表示する場合に、表示対象をアクティブのウィンドウＷ１の画面とすると、それ以外の画面、つまり、デスクトップ画面１１や非アクティブのウィンドウＷ２の画面は邪魔である。このような事情から、冒頭の従来技術（特許文献１）においては、図２（ｂ）に示す最大化ウィンドウＷ３の画面のみをプロジェクタ８に出力して表示させるようにしている。
【００２９】
しかしながら、この従来技術では、最大化ウィンドウＷ３が、たとえば、プレゼンテーション資料（ファイル）を探し出すためのファイル一覧画面である場合に、そのファイル一覧画面がスクリーン１０に拡大表示されてしまうという欠点がある。単に“最大化ウィンドウであるか否か”を判断材料にしているに過ぎないからである。
【００３０】
そこで、本実施形態では、より積極的なウィンドウ種別の判断、詳しくは、“プレゼンテーション用のアプリケーションソフトのウィンドウであるか否か”の判断を行い、そうである場合にのみ、つまり、表示対象のウィンドウがプレゼンテーション用のアプリケーションソフトのウィンドウである場合にのみ、そのウィンドウ画面をスクリーン１０に表示させるようにしている。このようにすると、仮に、表示対象のウィンドウがファイル一覧画面であったとしても、上記の判定結果が「否定」となるため、不要な画面がスクリーン１０に表示されることはない。
【００３１】
図３は、プレゼンテーション用のアプリケーションソフトの画面（ａ）とダミー画面（ｂ）を示す図である。（ａ）において、プレゼンテーション用のアプリケーションソフトの画面（以下、プレゼン画面という）２４は、たとえば、マイクロソフト社のパワーポイント（登録商標）におけるプレゼン実行モードのときの出力画面（全画面表示）である。
【００３２】
このプレゼン画面２４もＯＳ提供のウィンドウの一種であるが、タイトルバーやウィンドウ枠を備えない点で、ＯＳ提供の通常のウィンドウと相違する。すなわち、このプレゼン画面２４は、その画面のほとんどを占めるプレゼン領域２５と、そのプレゼン領域２５の周囲（上下左右各辺）を帯状に取り囲む縁取り領域２６とから構成されており、縁取り領域２６の幅は、上下左右各辺一定の値であるとともに、その縁取り領域２６の色は上下左右各辺共通である。
【００３３】
したがって、このプレゼン画面２４と、ＯＳ提供のデスクトップ画面１１及び通常のウィンドウ（図２のウィンドウＷ１〜Ｗ３参照）とを比較した場合、デスクトップ画面１１と相違することはもちろんであるが、タイトルバー２１やウィンドウ枠２３を備えない点で通常のウィンドウＷ１〜Ｗ３とも相違する。すなわち、プレゼン画面２４は、その周囲が同一色及び同一幅の縁取り領域２６で取り囲まれており、一方、ＯＳ提供の通常のウィンドウＷ１〜Ｗ３は、縁取り領域２６を備えない代わりに、タイトルバー２１やウィンドウ枠２３を有する点で相違するから、かかる相違点を検出することにより、プレゼン画面２４と、ＯＳ提供のデスクトップ画面１１及び通常のウィンドウ（図２のウィンドウＷ１〜Ｗ３参照）とを区別することができ、プレゼン画面２４のみをスクリーン１０に拡大表示させることができるようになる。
【００３４】
なお、（ｂ）に示すダミー画面２７は、パーソナルコンピュータ１の表示装置３でプレゼン画面２４を表示していないとき、または、プレゼン画面２４が非アクティブになっているときに、プロジェクタ８からスクリーン１０に投影するための疑似画面である。この疑似画面は、プロジェクタ８の内部（例えば、後述の記憶部３７等）にあらかじめ保持させておいたものであってもよいし、あるいは、パーソナルコンピュータ１以外の他の画像出力機器からプロジェクタ８に取り込まれた任意の画面（静止画や動画等）であってもよい。このダミー画面２７の使い方については後述する。
【００３５】
図４は、パーソナルコンピュータ１の簡略ブロック図である。この図において、パーソナルコンピュータ１は、先に説明した表示装置３、キーボード２、マウス５を備えると共に、ＣＰＵ２８、記憶装置２９、ＲＡＭ３０及び出力制御部３１などを備える。
【００３６】
ＣＰＵ２８は、キーボード２やマウス５からの操作入力に応答して、記憶装置２９にあらかじめ記憶されているＯＳやアプリケーションプログラム等の所望のソフトウェアリソースをＲＡＭ３０にロードして実行することにより、当該ソフトウェアリソースと、パーソナルコンピュータ１のハードウェアリソースとの有機的結合により所望の機能を実現する。
【００３７】
所望の機能の一つは、このパーソナルコンピュータ１に接続されたプロジェクタ８への画面出力機能である。この画面出力機能を実行しているとき、ＣＰＵ２８は、表示装置３に表示されている画面をプロジェクタ８に出力する。
【００３８】
図５は、プロジェクタ８の内部ブロック図である。プロジェクタ８は、スピーカ３２、音声処理部３３、表示駆動部３４、本体操作表示部３５（平面表示デバイス３５ａ、タッチパネル３５ｂ）、操作部３６、記憶部３７、中央制御部３８、入出力コネクタ３９、入出力Ｉ／Ｆ４０、画面変換部４１、ビデオＲＡＭ４２（少なくともＲ画面プレーン４２ａ、Ｇ画面プレーン４２ｂ及びＢ画面プレーン４２ｃを含む）、投影エンコーダ４３、投影駆動部４４、リフレクタ４５、光源４６、カラーホイール４７、カラーホイール駆動用モータ４８、カラーホイール回転角センサ４９、ＤＭＤ５０、投影レンズ９、フォーカス／ズーム駆動用モータ５１、冷却ファン５２、冷却ファン駆動用モータ５３などのブロックを含む。
【００３９】
記憶部３７は、半導体メモリや磁気ディスクなどの記憶デバイスで構成された不揮発性且つ書き換え可能な記憶要素であり、中央制御部３８の動作に必要な各種のソフトウェアリソース（基本ソフト、制御プログラム及びデータ等）を記憶する。
【００４０】
中央制御部３８は、表示駆動部３４を介して本体操作表示部３５の平面表示デバイス３５ａに所要の操作ボタン類をグラフィカル表示する。ユーザによって任意の操作ボタンがタッチ操作されると、そのタッチ座標がタッチパネル３５ｂで検出され、中央制御部３８は、その検出座標に基づいて、タッチ操作されたボタンの種類を特定し、その特定結果に対応した制御モード（たとえば、フォーカスやズーム等の投影条件設定モード）を実行する。
【００４１】
また、中央制御部３８は、表示駆動部３４を介して本体操作表示部３５の平面表示デバイス３５ａに、入力画面の解像度、入力コネクタ部２０の使用端子選択、音声の有無等の設定に必要な操作ボタン類をグラフィカル表示する。ユーザによって任意の操作ボタンがタッチ操作されると、そのタッチ座標がタッチパネル３５ｂで検出され、中央制御部３８は、その検出座標に基づいて、タッチ操作されたボタンの種類を特定し、その特定結果に対応した設定動作を実行する。
【００４２】
たとえば、入力画面の解像度がＸＧＡ（１０２４×７６８画素）、入力コネクタ部２０の使用端子がＲＣＡ端子、且つ、音声ありの場合は、入出力Ｉ／Ｆ４０を制御して入出力コネクタ３９の当該端子（ＲＣＡ端子）を選択し、その端子に加えられた外部機器からの入力画面と音声とを取り込み、それらを画面変換部４１と音声処理部３３に転送する。
【００４３】
さらに、中央制御部３８は、表示駆動部３４を介して本体操作表示部３５の平面表示デバイス３５ａに、複数の表示制御モードの選択画面を表示し、ユーザが、そのときの用途に応じて、その表示制御モードの中から適切なものをタッチ選択すると、そのタッチ座標がタッチパネル３５ｂで検出され、中央制御部３８は、その検出座標に基づいて、タッチ操作された表示制御モードを特定し、その特定結果に対応した表示制御モードを実行する。
【００４４】
選択可能な表示制御モードは、たとえば、パーソナルコンピュータ１から送られてきた画面をそのまま表示する「ノーマル画面表示制御モード」と、パーソナルコンピュータ１から送られてきた画面が特定のウィンドウ画面（プレゼン画面２４）であるか否かを判定し、そうである場合に、その特定のウィンドウ画面（プレゼン画面２４）を表示する「プレゼン画面表示制御モード」とを含む。
【００４５】
音声処理部３３は音声を増幅してスピーカ３２で拡声出力し、画面変換部４１は、入力画面を所定のフォーマットに変換し、必要であれば、その画面にスケーリング処理を施し、投影エンコーダ４３に転送する。
【００４６】
スケーリング処理とは、パーソナルコンピュータ１から送られてきた画面のサイズを、プロジェクタ８の投影サイズ（ＤＭＤ５０の画素数）に合わせて拡大しまたは縮小する処理のことをいう。スケーリング処理を行う理由は、たとえば、パーソナルコンピュータ１から送られてきた画面のサイズがＤＭＤ５０の画素数よりも少ない場合に入力画面をそのまま表示すると、スクリーン１０に画面が小さく表示されてしまい、見た目が悪くなるからである。この場合は、ＤＭＤ５０の画素数一杯になるように入力画面を「拡大」する拡大方向のスケーリングを行うことにより、見た目の改善を図ることができる。また、パーソナルコンピュータ１から送られてきた画面のサイズがＤＭＤ５０の画素数よりも多い場合に入力画面をそのまま表示すると、スクリーン１０から画面がはみ出してしまい、やはり見た目が悪くなるからである。この場合は、ＤＭＤ５０の画素数一杯になるように入力画面を「縮小」する縮小方向のスケーリングを行うことにより、同様に見た目の改善を図ることができる。
【００４７】
投影エンコーダ４３は、送られてきた画面信号をビデオＲＡＭ４２に展開記憶（Ｒ画面→Ｒ画面プレーン４２ａ、Ｇ画面→Ｇ画面プレーン４２ｂ、Ｂ画面→Ｂ画面プレーン４２ｃ）させた上で、このビデオＲＡＭ４２の各プレーンの記憶内容を、Ｒ表示の画面信号（以下、Ｒ画面信号）、Ｇ表示の画面信号（以下、Ｇ画面信号）及びＢ表示の画面信号（以下、Ｂ画面信号）の順に読み出す。
【００４８】
投影駆動部４４は、それらのＲ画面信号、Ｇ画面信号及びＢ画面信号から構成される、たとえば、３０フレーム／秒のフレーム画面でＤＭＤ５０を駆動する。
【００４９】
ＤＭＤ５０（Digital Micro-mirror Device）は、微小な可動ミラーを多数個平面上に敷き詰めた半導体集積光スイッチである。可動ミラーの大きさは、たとえば、十数μｍ角であり、ミラーのオンとオフの状態で±１０度程度傾斜が変化するように支柱に取り付けられている。ミラーの直下にはメモリ素子が形成されており、このメモリ素子の正電界作用によってミラーのオンとオフの状態を切り換える。ＤＭＤ５０の反射光量は、ミラーをオンにしたときに最大（白階調）、オフにしたときに最小（黒階調）となるが、各ミラーのスイッチングスピード（オンとオフの切り換えスピード）を毎秒５０万回以上にすることもできるため、各ミラーのスイッチングレシオを変えることにより、ＤＭＤ５０の反射光量を中間階調（グレースケール）にすることもできる。
【００５０】
このようなＤＭＤ５０に対して、リフレクタ４５内に配置された超高圧水銀灯等の光源４６から高輝度の白色のスポット光Ｐａを照射すると、その反射光Ｐｂは、ＤＭＤ５０の各ミラーのオンオフ及びそのスイッチングレシオに対応して画素ごとに光変調（画面信号の内容で画素単位に光変調）されたものとなり、この反射光Ｐｂを投影レンズ９を介してスクリーン１０に投射することによって、そのスクリーン１０に画面信号の拡大映像を投影することができる。
【００５１】
但し、図示の例では、ＤＭＤ５０の数は１個であり、また、光源４６から照射されたスポット光Ｐａは「白色光」であるから、この場合、スクリーン上にはモノクロの映像しか投影できない。そこで、実際には、光源４６の前面にカラーホイール４７を配置して、このカラーホイール４７をカラーホイール駆動用モータ４８で回転駆動するようにし、且つ、ビデオＲＡＭ４２に画面信号を展開記憶する際に、光の三原色（ＲＧＢ）ごとのビデオ信号成分（Ｒ画面信号、Ｇ画面信号、Ｂ画面信号）に分けて展開記憶するようにしている。
【００５２】
次に、作用を説明する。
プロジェクタ８の表示制御モードが前記の「ノーマル画面表示制御モード」である場合、プロジェクタ８は、パーソナルコンピュータ１から送られてきた画面をそのまま表示する。たとえば、パーソナルコンピュータ１の表示装置３に、図２（ａ）の画面が表示されている場合を想定すると、パーソナルコンピュータ１からプロジェクタ８へ、デスクトップ画面１１と、そのデスクトップ画面１１の上に重畳表示された二つのウィンドウＷ１、Ｗ２の画面が送られてくる。プロジェクタ８は、それらの画面（デスクトップ画面１１と、そのデスクトップ画面１１の上に重畳表示された二つのウィンドウＷ１、Ｗ２の画面）をスクリーン１０に拡大投影する。なお、この「ノーマル画面表示制御モード」において、冒頭で説明した従来技術（特許文献１）を適用した場合には、表示に先立ち最大化ウィンドウであるか否かを判定し、二つのウィンドウＷ１、Ｗ２はいずれも最大化ウィンドウでないので、この場合には、スクリーン１０への拡大投影は行われない。
【００５３】
または、この「ノーマル画面表示制御モード」において、パーソナルコンピュータ１の表示装置３に、図２（ｂ）の画面（最大化ウィンドウＷ３の画面）が表示されている場合には、プロジェクタ８は、その最大化ウィンドウＷ３の画面をスクリーン１０に拡大投影し、同様に、冒頭で説明した従来技術（特許文献１）を適用している場合にも、その最大化ウィンドウＷ３の画面をスクリーン１０に拡大投影する。
【００５４】
このように、「ノーマル画面表示制御モード」においては、まず、パーソナルコンピュータ１から送られてきた画面をそのままスクリーン１０に拡大投影することができるが、不要画面（たとえば、図２（ａ）のデスクトップ画面１１や非アクティブのウィンドウＷ２）も表示されてしまうため、とりわけ、プレゼンテーションのスマートさを阻害し、情報の保全も図れないという欠点がある。
【００５５】
かかる「ノーマル画面表示制御モード」の欠点は、パーソナルコンピュータ１から最大化ウィンドウＷ３の画面を送ることによって解決されるが、根本的解決にはなり得ない。一時的に最大化を解除した場合に、やはり、不要画面（デスクトップ画面１１や非アクティブのウィンドウＷ２）が表示されるからである。
【００５６】
このような不都合、すなわち、最大化を一時的に解除する際の不都合解消に、冒頭で説明した従来技術（特許文献１）は有効である。パーソナルコンピュータ１から図２（ａ）のような画面（デスクトップ画面１１や非アクティブのウィンドウＷ２）が送られてきた場合に、スクリーン１０への投影をストップすることができるからである。
【００５７】
しかしながら、こうした「ノーマル画面表示制御モード」と、冒頭で説明した従来技術（特許文献１）との組み合わせによっても、パーソナルコンピュータ１で次のような操作が行われた場合には、依然として不要画面がスクリーン１０に投影されてしまうという問題点がある。たとえば、パーソナルコンピュータ１でプレゼン用のファイルを探し出すとき、ユーザの多くは、ファイル一覧のスクロールの手間を省くために、しばしば、そのファイルが納められたディレクトリ画面（ウィンドウ）を“最大化”することがあるが、このような場合、特許文献１の技術では、かかる最大化されたディレクトリ画面がスクリーン１０に表示されてしまうので、そのディレクトリに納められているすべてのファイルの名前が第三者の目に触れることになり、やはり、プレゼンのスマートさを阻害し、且つ、情報の保護を図ることができない。
【００５８】
本実施形態におけるプロジェクタ８の「プレゼン画面表示制御モード」は、かかる問題点を根本的に解決するための特別なモードである。以下、このモードについて詳しく説明する。
【００５９】
図６は、プロジェクタ８で実行される「プレゼン画面表示制御モード」プログラムの概念的なフローチャートを示す図である。このフローチャートでは、まず、パーソナルコンピュータ１からの画面入力を判定し（ステップＳ１１）、画面が入力されると、その画面がプレゼンテーション画面であるか否かを判定する「プレゼンテーション画面判定処理」を実行し（ステップＳ１２）、その判定結果を調べて（ステップＳ１３）、肯定（ＹＥＳ）である場合、すなわち、入力された画面がプレゼンテーション画面である場合には、その入力画面（プレゼンテーション画面）をスクリーン１０に拡大投影（ステップＳ１４）した後、再びステップＳ１１以降を実行する。
【００６０】
一方、プレゼンテーション画面判定処理の判定結果が否定（ＮＯ）である場合、すなわち、入力された画面がプレゼンテーション画面でない場合には、前回のスクリーン１０への表示画面の有無を判断する（ステップＳ１５）。前回の表示画面がある場合は、その前回の表示画面をスクリーン１０に拡大投影（ステップＳ１６）した後、再びステップＳ１１以降を実行し、前回の表示画面がない場合は、適当なダミー画面（たとえば、図３（ｂ）のダミー画面２７）をスクリーン１０に拡大投影（ステップＳ１７）した後、再びステップＳ１１以降を実行する。
【００６１】
図７は、「プレゼンテーション画面判定処理」（図６のステップＳ１２参照）の概念的なフローチャートを示す図である。このプレゼンテーション画面判定処理は、要するに、プレゼン画面（図３（ａ）のプレゼン画面２４参照）と、ＯＳ提供のデスクトップ画面及び通常のウィンドウ（図２（ａ）のデスクトップ画面１１及びウィンドウＷ１、Ｗ２参照）との相違点に基づき、パーソナルコンピュータ１から入力された画面がプレゼン画面であるか否かを判定するというものである。
【００６２】
すなわち、プレゼン画面２４は、先に説明したように、その周囲が同一色及び同一幅の縁取り領域２６で取り囲まれており、一方、ＯＳ提供の通常のウィンドウＷ１〜Ｗ３は、縁取り領域２６を備えない代わりに、タイトルバー２１やウィンドウ枠２３を有する点で相違するから、かかる相違点を検出することにより、プレゼン画面２４と、ＯＳ提供のデスクトップ画面１１及び通常のウィンドウ（図２のウィンドウＷ１〜Ｗ３参照）とを区別することができるという原理に基づくものである。
【００６３】
このフローチャートでは、たとえば、入力画面の上下左右辺部の所定幅領域Ｄの色（ＲＧＢ）分布を比較し（ステップＳ１２ａ）、同一色分布であるか否かを判定し（ステップＳ１２ｂ）、同一色分布である場合にプレゼン画面であると判断（ステップＳ１２ｃ）する一方、同一色分布でない場合にプレゼン画面でないと判断（ステップＳ１２ｄ）している。
【００６４】
図８は、プレゼン画面であると判断する場合の概念図である。この図において、（ａ）に示すように、プレゼン画面２４は、先にも説明したように、タイトルバーやウィンドウ枠を備えない点で、ＯＳ提供の通常のウィンドウと相違する。すなわち、このプレゼン画面２４は、その画面のほとんどを占めるプレゼン領域２５と、そのプレゼン領域２５の周囲（上下左右各辺）を帯状に取り囲む縁取り領域２６とから構成されており、縁取り領域２６の幅は、上下左右各辺一定の値、たとえば、表示装置３の画面サイズを１５インチ（対角）とした場合、凡そ２〜３ｍｍ程度であるとともに、その縁取り領域２６の色は、一般的に黒色（プレゼン領域２５の背景色や文字などを引き立たせるような色）で、且つ、上下左右各辺共通の色である。
【００６５】
ステップＳ１２ａにおける比較判定幅（Ｄ）は、縁取り領域２６の幅に充分収まる適当な値に設定する。今、この比較判定幅（Ｄ）を、図中の破線ア、イの間隔とすると、ステップＳ１２ａでは、縁取り領域２６の上下左右の当該破線ア、イ内の色（ＲＧＢ）分布を比較する。上記のとおり、縁取り領域２６の色は、一般的に黒色（プレゼン領域２５の背景色や文字などを引き立たせるような色）で、且つ、上下左右各辺共通の色であるから、（ｂ）に示すように、その色分布は、黒色の単一ピークを持つことになる。
【００６６】
図９は、プレゼン画面でないと判断する場合の概念図である。この図において、（ａ）に示すように、たとえば、デスクトップ画面１１は、先にも説明したように、任意色または任意画像の背景エリア１２に、ＯＳによって規定された（または、ユーザによって選択された）様々なショートカットアイコン１３を配列表示すると共に、その背景エリア１２の下辺部に、スタートボタン１４や実行中のアプリケーションアイコン１５などを表示するためのタスクバー１６を配置している。
【００６７】
このようなデスクトップ画面１１に、上記の比較判定幅（Ｄ）を適用すると、ステップＳ１２ａでは、デスクトップ画面１１の上下左右の当該破線ア、イ内の色（ＲＧＢ）分布を比較することになるが、この破線ア、イ内には、デスクトップ画面１１の背景エリア１３とともに、タスクバー１６も含まれるので、色分布は単一のピークにはならない。つまり、（ｂ）や（ｃ）に示すように、背景エリア１３の色と、タスクバー１６の色（及びスタートボタン１４や実行中のアプリケーションアイコン１５などの色）とを含む複数の色ピークまたは所定幅の色分布を持つことになる。
【００６８】
したがって、上記の色分布の違いから、プレゼン画面２４と、ＯＳ提供のデスクトップ画面１１及び通常のウィンドウ（図２のウィンドウＷ１〜Ｗ３参照）とを区別することができる。
【００６９】
以上のとおりであるから、本実施形態によれば次の効果を得ることができる。
（１）  パーソナルコンピュータ１からプロジェクタ８に送られる画面がプレゼン画面２４であるときにのみ、そのプレゼン画面２４をスクリーン１０に拡大投影することができる。したがって、パーソナルコンピュータ１でプレゼン画面２４以外の画面、たとえば、ファイル一覧表示用のウィンドウ画面を開いた場合に、そのウィンドウ画面をスクリーン１０に非表示とすることができる。その結果、プレゼンテーションのスマートさと情報の保全を図ることができる。
（２）また、パーソナルコンピュータ１でプレゼン画面２４以外の画面を開いた際に、スクリーン１０に前回の画面を表示し、あるいは、ダミー画面２７を表示するので、パーソナルコンピュータ１を操作している間の画面表示喪失を回避し、違和感をなくすことができる。
【００７０】
なお、本発明は、以上の実施形態に限定されず、その技術思想の範囲内において多様な変形例や発展例を包含することはもちろんである。
【００７１】
たとえば、以上の実施形態では、プロジェクタ８において、プレゼン画面２４であるか否かを判定しているが、これに限定されない。パーソナルコンピュータ１でその判定を行ってもよい。このようにした場合、プロジェクタ８に汎用のものを使用することができる。
【００７２】
図１０は、パーソナルコンピュータ１で実行される「プレゼン画面表示制御モード」プログラムの概念的なフローチャートを示す図である。このフローチャートでは、まず、現在のディスプレイ画面（表示装置３の表示画面）を取り込み（ステップＳ２１）、その画面がプレゼンテーション画面であるか否かを判定する「プレゼンテーション画面判定処理」（図７参照）を実行し（ステップＳ２２）、その判定結果を調べて（ステップＳ２３）、肯定（ＹＥＳ）である場合、すなわち、取り込まれた画面がプレゼンテーション画面である場合には、その画面（プレゼンテーション画面）をプロジェクタ８に出力（ステップＳ２３）した後、再びステップＳ２１以降を実行する。
【００７３】
一方、プレゼンテーション画面判定処理の判定結果が否定（ＮＯ）である場合、すなわち、取り込まれた画面がプレゼンテーション画面でない場合には、前回のプロジェクタ８への出力画面の有無を判断する（ステップＳ２４）。前回の出力画面がある場合は、その前回の出力画面をプロジェクタ８に出力（ステップＳ２５）した後、再びステップＳ２１以降を実行し、前回の出力画面がない場合は、適当なダミー画面（たとえば、図３（ｂ）のダミー画面２７）をプロジェクタ８に出力（ステップＳ２６）した後、再びステップＳ２１以降を実行する。
【００７４】
このようにしても、上記の本実施形態と同様の効果が得られる。すなわち、パーソナルコンピュータ１は、表示装置３に表示中の画面がプレゼン画面２４であるときだけ、そのプレゼン画面２４をプロジェクタ８に出力するので、プロジェクタ８は、そのプレゼン画面２４のみをスクリーン１０に拡大投影することができる。したがって、パーソナルコンピュータ１でプレゼン画面２４以外の画面、たとえば、ファイル一覧表示用のウィンドウ画面を開いた場合には、そのウィンドウ画面をスクリーン１０に非表示とすることができる。その結果、プレゼンテーションのスマートさと情報の保全を図ることができる。また、パーソナルコンピュータ１でプレゼン画面２４以外の画面を開いた際に、パーソナルコンピュータ１からプロジェクタ８に前回の画面を出力し、あるいは、ダミー画面２７を出力するので、パーソナルコンピュータ１を操作している間のスクリーン１０の投影画面の表示喪失を回避し、違和感をなくすことができる。
【００７５】
また、以上の実施形態では、プロジェクタ８を含むシステム構成を例にしたが、このプロジェクタ８の代わりに、液晶ディスプレイ、有機ディスプレイ、プラズマディスプレイまたはプロジェクタテレビなどの外部モニタ装置を用いたシステム構成としてもよい。
【００７６】
また、以上の実施形態では、プロジェクタ８に取り込まれた画像がプレゼンテーション用の画像でないと判断された場合に、前回の表示対象画面または任意のダミー画面のダミー画像を表示するようにしているが、これに限らず、複数の入力手段（例えば、複数の入出力コネクタ３９と入出力インターフェース４０）を有するプロジェクタ８にあっては、パーソナルコンピュータ１が接続されている入力手段以外の入力手段に切り換え、その切り換え先の入力手段からの入力画像（例えば、他のパーソナルコンピュータ、デジタルカメラ、ビデオカメラ、ビデオ再生装置などの任意の画像出力機器から出力された静止画や動画等の画像）を、上記のダミー画像として用いてもよい。
【図面の簡単な説明】
【００７７】
【図１】本実施形態のシステム構成図である。
【図２】パーソナルコンピュータ１の表示装置３の画面構成図である。
【図３】プレゼンテーション用のアプリケーションソフトの画面（ａ）とダミー画面（ｂ）を示す図である。
【図４】パーソナルコンピュータ１の簡略ブロック図である。
【図５】プロジェクタ８の内部ブロック図である。
【図６】プロジェクタ８で実行される「プレゼン画面表示制御モード」プログラムの概念的なフローチャートを示す図である。
【図７】「プレゼンテーション画面判定処理」（図６のステップＳ１２参照）の概念的なフローチャートを示す図である。
【図８】プレゼン画面であると判断する場合の概念図である。
【図９】プレゼン画面でないと判断する場合の概念図である。
【図１０】パーソナルコンピュータ１で実行される「プレゼン画面表示制御モード」プログラムの概念的なフローチャートを示す図である。
【符号の説明】
【００７８】
１  パーソナルコンピュータ（画面出力装置）
８  プロジェクタ（画面表示装置）
２７  ダミー画面
２８  ＣＰＵ（入力手段、判定手段、画面制御手段、出力手段）
３１  出力制御部（出力手段）
３８  中央制御部（判定手段、画面制御手段）
３９  入出力コネクタ（入力手段）
４０  入出力Ｉ／Ｆ（入力手段）
５０  ＤＭＤ（表示手段）
【図１】
0005626821.tif 000002
【図２】
0005626821.tif 000003
【図３】
0005626821.tif 000004
【図４】
0005626821.tif 000005
【図５】
0005626821.tif 000006
【図６】
0005626821.tif 000007
【図７】
0005626821.tif 000008
【図８】
0005626821.tif 000009
【図９】
0005626821.tif 000010
【図１０】
0005626821.tif 000011